(57)【要約】【課題】  有効な利用が可能な車両用テーブル装置の提供。【解決手段】  一側にテーブル面４８が形成された揺動体２２と、揺動体２２を横方向に沿いかつテーブル面４８を上面とする展開状態と縦方向に沿う格納状態との間で揺動可能に支持する支持体２０とを有し、揺動体２２の内側に収納空間５６を設け、揺動体２２のテーブル面４８に対し反対側に収納空間５６を開閉可能な蓋体６１を設けてなる。テーブルとして機能する揺動体２２の内側に収納空間５６が設けられこの収納空間５６を開閉可能な蓋体６１が設けられているため、収納部としても機能する。【選択図】        図７
2005096523.tif 000002
【特許請求の範囲】
【請求項１】
一側にテーブル面が形成された揺動体と、該揺動体を横方向に沿いかつ前記テーブル面を上面とする展開状態と縦方向に沿う格納状態との間で揺動可能に支持する支持体とを有し、
前記揺動体の内側に収納空間を設け、前記揺動体の前記テーブル面に対し反対側に前記収納空間を開閉可能な蓋体を設けてなることを特徴とする車両用テーブル装置。
【請求項２】
前記蓋体は開閉角度が鋭角であり、前記揺動体が前記展開状態にあるとき前記蓋体の開閉中心に対し反対側の縁部が上側に屈曲していることを特徴とする請求項１記載の車両用テーブル装置。
【請求項３】
前記支持体には、前記揺動体の前記格納状態における下部に設けられた摺動部を上下移動可能に案内する案内溝と、基端側が揺動可能に軸支されるとともに前記揺動体の前記格納状態における上部を回動可能に軸支する揺動アームとを有する揺動機構が設けられていることを特徴とする請求項１または２記載の車両用テーブル装置。
【請求項４】
前記支持体には前記揺動体の下側に、内側に収納空間が設けられるとともに該収納空間を開閉可能な蓋体が設けられた下部収納部が設けられていることを特徴とする請求項１乃至３のいずれか一項記載の車両用テーブル装置。
【請求項５】
前記格納状態にある前記揺動体の蓋体と、前記下部収納部の蓋体とが同側に並列して配置されていることを特徴とする請求項４記載の車両用テーブル装置。
【発明の詳細な説明】
【技術分野】
【０００１】
本発明は、車両用テーブル装置に関し、特にその有効利用に関する。
【背景技術】
【０００２】
車両用テーブル装置に関する技術として、テーブルを横方向に沿う展開状態と縦方向に沿う格納状態との間で折畳可能に設け、テーブルの展開状態における上面に開閉可能に蓋体を設け、この蓋体が開けられるとテーブルおよび蓋体にカップホルダが現れる構造のものがある（例えば、特許文献１参照）。
【特許文献１】特開平１０−２４４８６２号公報
【発明の開示】
【発明が解決しようとする課題】
【０００３】
上記した車両用テーブル装置は、カップホルダを含むテーブルとしての機能しか備えていないが、近年、車室内空間に配置された各部の有効利用が求められており、このような観点から、上記した車両用テーブル装置は十分な機能を有しているとは言えなかった。
【０００４】
したがって、本発明は、有効な利用が可能な車両用テーブル装置の提供を目的とする。
【課題を解決するための手段】
【０００５】
上記目的を達成するために、請求項１に係る発明は、一側にテーブル面（例えば実施形態におけるテーブル面４８）が形成された揺動体（例えば実施形態における上部収納体２２）と、該揺動体を横方向に沿いかつ前記テーブル面を上面とする展開状態と縦方向に沿う格納状態との間で揺動可能に支持する支持体（例えば実施形態における支持体２０）とを有し、前記揺動体の内側に収納空間（例えば実施形態における収納空間５６）を設け、前記揺動体の前記テーブル面に対し反対側に前記収納空間を開閉可能な蓋体（例えば実施形態における上部蓋体６１）を設けてなることを特徴としている。
【０００６】
請求項２に係る発明は、請求項１に係る発明において、前記蓋体は開閉角度が鋭角であり、前記揺動体が前記展開状態にあるとき前記蓋体の開閉中心に対し反対側の縁部（例えば実施形態における係止縁部６３）が上側に屈曲していることを特徴としている。
【０００７】
請求項３に係る発明は、請求項１または２に係る発明において、前記支持体には、前記揺動体の前記格納状態における下部に設けられた摺動部（例えば実施形態における摺動ピン４５）を上下移動可能に案内する案内溝（例えば実施形態における案内溝３８）と、基端側が揺動可能に軸支されるとともに前記揺動体の前記格納状態における上部を回動可能に軸支する揺動アーム（例えば実施形態における揺動アーム４３）とを有する揺動機構（例えば実施形態における揺動機構２１）が設けられていることを特徴としている。
【０００８】
請求項４に係る発明は、請求項１乃至３のいずれか一項に係る発明において、前記支持体には前記揺動体の下側に、内側に収納空間（例えば実施形態における収納空間２７）が設けられるとともに該収納空間を開閉可能な蓋体（例えば実施形態における下部蓋体３１）が設けられた下部収納部（例えば実施形態における下部収納部２６）が設けられていることを特徴としている。
【０００９】
請求項５に係る発明は、請求項４に係る発明において、前記格納状態にある前記揺動体の蓋体と、前記下部収納部の蓋体とが同側に並列して配置されていることを特徴としている。
【発明の効果】
【００１０】
請求項１に係る発明によれば、揺動体を横方向に沿う展開状態にすると、その上面がテーブル面となってテーブルとして機能することになる。そして、このようにテーブルとして機能する揺動体の内側には収納空間が設けられこの収納空間を開閉可能な蓋体が設けられているため、収納部としても機能することになる。したがって、有効な利用が可能となる。
【００１１】
請求項２に係る発明によれば、テーブル面に対し反対側に設けられた蓋体は、揺動体が縦方向に沿う格納状態にあるとき側面にあり良好に開閉可能であるため、収納空間に対する物品の良好な出し入れが可能となる。また、蓋体は揺動体が横方向に沿う展開状態にあるとき下面にあるが、開閉角度が鋭角であり、しかも開閉中心に対し反対側の縁部が上側に屈曲していることから、開いたときに収納空間内の物品を落下させることなく、収納空間に対する物品の良好な出し入れが可能となる。したがって、揺動体が縦方向に沿う格納状態にあっても横方向に沿う展開状態にあっても収納空間に対し物品の出し入れが可能であることから使い勝手性が向上する。
【００１２】
請求項３に係る発明によれば、揺動体が縦方向に沿う格納状態から横方向に沿う展開状態となるとき、その下部に設けられた摺動部が支持体の案内溝で案内されながら上昇しつつその上部が揺動アームをその基端側を中心に揺動させながら側方に移動する。このように、簡単な構造で揺動体を縦方向に沿う格納状態と横方向に沿う展開状態との間で揺動させることができる。また、揺動体を上側に移動させながら横方向に沿う展開状態とすることができるため、下面の蓋体と支持体との間に隙間を形成でき、その結果、蓋体を良好に開けることができる。さらに、揺動体が格納状態と展開状態との間で移動するときに、揺動体が支持体よりも一側に突出することがないように揺動軌跡を設定でき、座席に近接配置しても座席に干渉させずに揺動させることができる。
【００１３】
請求項４に係る発明によれば、支持体における揺動体の下側に、内側に収納空間が設けられるとともに開閉可能な蓋体を有する下部収納部が設けられているため、支持体をも収納部として機能させることができる。したがって、さらに有効な利用が可能となる。
【００１４】
請求項５に係る発明によれば、格納状態にある揺動体の蓋体と下部収納部の蓋体とが同側に並列して配置されているため、格納状態にあるときの揺動体および支持体の下部収納部の両方の使い勝手性が向上する。
【発明を実施するための最良の形態】
【００１５】
本発明の一実施形態の車両用テーブル装置について図面を参照して以下に説明する。
【００１６】
本実施形態の車両用テーブル装置１１は、図１に示すように、車室内の例えば運転席シート１２と助手席シート１３との間の空間１４に設けられるもので、運転席シート１２側のフロア１５に車両前後方向に沿いかつ鉛直方向に沿う状態で固定された支持体２０と、この支持体２０の上部の揺動機構２１に揺動可能に支持された上部収納体（揺動体）２２とを有している。ここで、各図において運転席シート１２側を矢印Ｒで表し、助手席シート１３側を矢印Ｌで表す。
【００１７】
支持体２０は、図２に示すように、互いに車両前後方向に離間してフロア１５に鉛直立設される一対の支柱部２５と、これら支柱部２５を結ぶようにこれら支柱部２５の間の下部に車両前後方向に沿いかつ鉛直方向に沿う状態で設けられた下部収納部２６とを有している。
【００１８】
下部収納部２６は、略直方体状の箱型で、図３に示すように、内側に収納空間２７が設けられるとともにその助手席シート１３側の側面に収納空間２７を外部に通じさせる開口部２８が設けられた収納部本体２９と、開口部２８を閉塞させる状態と開放させる状態との間で揺動可能となるように収納部本体２９に連結されることにより収納空間２７を開閉可能な下部蓋体３１とを有している。なお、一対の支柱部２５および収納部本体２９は、フロア１５に対し位置固定とされている。
【００１９】
下部蓋体３１はその下端部において車両前後方向に沿う連結軸３２を介してこの連結軸３２を中心に揺動回転するように収納部本体２９に連結されており、車両前後方向に沿いかつ鉛直方向に沿う状態で収納部本体２９の開口部２８を閉塞させる。また、下部蓋体３１は、この状態から連結軸３２を中心に揺動し上部が助手席シート１３側に近接するように所定角度倒れることで収納部本体２９の開口部２８を開放させる。
【００２０】
ここで、下部蓋体３１は、収納部本体２９の開口部２８を閉塞させる状態と開放させる状態との間で鋭角の所定角度分のみ揺動可能となっており、この角度を超えての揺動が規制されるようになっている。
【００２１】
下部蓋体３１および収納部本体２９には、図示は略すが、下部蓋体３１を開口部２８を閉塞させた状態で収納部本体２９に対しロックする下部蓋体ロック機構が設けられている。そして、図２に示すように、下部蓋体３１の上部の車両前後方向の中央には取手部３５が設けられており、この取手部３５には、下部蓋体ロック機構のロックを解除するロック解除操作ボタン（ロック解除操作部）３６が設けられている。つまり、閉状態にある下部蓋体３１を開作動させる際に乗員はこの取手部３５を掴みつつロック解除操作ボタン３６を下方に押すことにより下部蓋体ロック機構によるロックを解除し下部蓋体３１を開ける。また、開状態にある下部蓋体３１を閉方向に揺動させ開口部２８を閉塞させた状態にすると下部蓋体ロック機構が自動的に下部蓋体３１を閉状態でロックする。
【００２２】
なお、この下部収納部２６には、例えば、音楽記憶媒体やサングラス等の物品を収納することができる。
【００２３】
一対の支柱部２５の間の下部収納部２６より上側に、上部収納体２２が揺動機構２１を介して揺動可能に設けられている。
【００２４】
つまり、一対の支柱部２５の相互対向側の内面には、図３に示すように、揺動機構２１を構成する上下方向に延在する一対の案内溝３８が運転席シート１２側に形成されている。これら案内溝３８は、上部が鉛直方向に沿うとともに下部が下端側ほど助手席シート１３側に近接するように若干湾曲する移動案内溝部３９と、この移動案内溝部３９の上端部から屈曲して助手席シート１３側に若干延びる係止溝部４０とを有している。
【００２５】
また、一対の支柱部２５の下部収納部２６より若干上側の助手席シート１３側には、車両前後方向に沿う支持軸４２がそれぞれ設けられており、これら支持軸４２には、それぞれ揺動機構２１を構成する揺動アーム４３の基端側が軸支されている。
【００２６】
そして、上部収納体２２は、一側に設けられた一対の摺動ピン（摺動部）４５が一対の支柱部２５の案内溝３８に摺動可能かつ回転可能に挿入されるとともに、逆側が車両前後方向に沿う支持軸４６を介して揺動アーム４３の先端側に回転可能に軸支されている。
【００２７】
ここで、上部収納体２２は、略直方体状の箱型をなしており、一側の摺動ピン４５を案内溝３８の下端部に位置させた状態では、逆側の支持軸４６が揺動アーム４３を鉛直に沿わせつつ最も運転席シート１２側に位置している。この状態が格納状態であり、この格納状態で、上部収納体２２は、全体として車両前後方向に沿いかつ鉛直方向に沿って（つまり縦方向に沿って）、支持体２０と同一平面状に配置される。また、この格納状態にあるとき、上部収納体２２を含む車両用テーブル装置１１の全体が運転席シート１２側に寄っていて、運転席シート１２と助手席シート１３との間の空間１４を通路として確保することになり、いわゆるウォークスルーが可能な状態となる。さらに、格納状態にあるとき、上部収納体２２は下部収納部２６の上側に隣接している。
【００２８】
この格納状態から一側の摺動ピン４５を案内溝３８の移動案内溝部３９に沿って上昇させた後、助手席シート１３側に若干移動させ案内溝３８の上端部の係止溝部４０に位置させた状態では、図６に示すように、逆側の支持軸４６側が揺動アーム４３を助手席シート１３側に倒しつつ最も助手席シート１３側に位置している。この状態が展開状態であり、この展開状態で、上部収納体２２は、全体として車両前後方向に沿いかつ水平方向に沿って（つまり横方向に沿って）、支持体２０と直交する。ここで、この展開状態では、摺動ピン４５が車幅方向に沿う係止溝部４０内に位置しているため、上部収納体２２を上から押しても上部収納体２２が揺動してしまうことはない。なお、上部収納体２２は、格納状態にあるときの運転席シート１２側の側面が展開状態における上面となり、格納状態にあるときの助手席シート１３側の側面が展開状態における下面となる。そして、上部収納体２２は、図５に示すように、展開状態における上面がテーブル面４８とされており、このテーブル面４８にドリンク類を載置させるためのドリンクホルダ部４９および物品を載置させるためのテーブル部５０が設けられている。なお、テーブル面４８には周縁部の全周から一段突出する突出縁部５１が設けられている。
【００２９】
ここで、支持体２０および上部収納体２２には、図示は略すが、上部収納体２２を格納状態でロックおよびロック解除可能であり、かつ展開状態でもロックおよびロック解除可能な揺動ロック機構が設けられている。この揺動ロック機構は、上部収納体２２が格納状態にあるときの上端部かつ運転席シート１２側であって上部収納体２２が展開状態にあるときの上端部かつ助手席シート１３側となる角部に設けられた揺動ロック解除操作ボタン（揺動ロック解除部）５４が押圧操作されるとロックを解除することになり、上部収納体２２が揺動して格納状態になると自動的に格納状態でロックし、また上部収納体２２が揺動して展開状態になると自動的に展開状態でロックする。
【００３０】
また、格納状態と展開状態との間で移動するときに、上部収納体２２が支持体２０よりも助手席シート１３側に突出することがないように揺動機構２１が設定されている。
【００３１】
上部収納体２２は、内側に収納空間５６が設けられるとともに格納状態にあるときの助手席シート１３側の側面に収納空間５６を外部に通じさせる開口部５７が設けられた収納体本体５８を有している。ここで、上部収納体２２が格納状態にあるとき、収納体本体５８の下部に上記した摺動ピン４５が設けられるとともに収納体本体５８の上部に上記した揺動アーム４３の先端側が支持軸４６を介して連結されており、収納体本体５８の上面の運転席シート１２側かつ車両前後方向中央に上記した揺動ロック解除操作ボタン５４が設けられている。また、収納体本体５８の開口部５７に対し反対側の面、つまり格納状態にあるときの運転席シート１２側の側面かつ展開状態における上面が、上記したドリンクホルダ部４９およびテーブル部５０を有するテーブル面４８とされている。
【００３２】
上部収納体２２は、収納体本体５８の開口部５７を閉塞させる状態と開放させる状態との間で揺動可能となるように収納体本体５８に連結されることにより収納空間５６を開閉可能な上部蓋体６１を、格納状態にあるときの助手席シート１３側の側面（展開状態にあるときの下面）に有している。
【００３３】
上部蓋体６１は、上部収納体２２が格納状態にあるときに、その下端部において車両前後方向に沿う連結軸６２を中心に揺動回転するように収納体本体５８に連結されており、車両前後方向に沿いかつ鉛直方向に沿う状態で収納体本体５８の開口部５７を閉塞させる。また、上部蓋体６１は、この状態から連結軸６２を中心に揺動し上部が助手席シート１３側に近接するように所定角度倒れることで収納体本体５８の開口部５７を開放させる。
【００３４】
ここで、上部蓋体６１は、収納体本体５８の開口部５７を閉塞させる状態と開放させる状態との間で鋭角の所定角度分のみ揺動可能となっており、この角度を超えての揺動が規制されるようになっている。また、上部蓋体６１の開閉中心である連結軸６２に対し反対側、つまり上部収納体２２が格納状態にあるときの上部蓋体６１の上端の縁部は、運転席シート１２側に屈曲する形状の係止縁部６３とされている。言い換えれば、係止縁部６３は、上部収納体２２が展開状態にあるときに上側に屈曲する形状をなしている。
【００３５】
上部蓋体６１および収納体本体５８には、図示は略すが、上部蓋体６１を開口部５７を閉塞させた状態で収納体本体５８に対しロックする上部蓋体ロック機構が設けられている。そして、収納体本体５８における上部蓋体６１の開閉中心に対し反対側、つまり上部収納体２２が格納状態にあるときの収納体本体５８の上面に、上記した揺動ロック解除操作ボタン５４の助手席シート１３側に隣り合って、上部蓋体ロック機構のロックを解除するスライド式のロック解除操作レバー（ロック解除操作部）６５が設けられている。つまり、閉状態にある上部蓋体６１を開作動させる際に乗員はこのロック解除操作レバー６５をスライドさせることにより上部蓋体ロック機構によるロックを解除し上部蓋体６１を開ける。また、開状態にある上部蓋体６１を閉方向に揺動させ開口部５７を閉塞させた状態にすると上部蓋体ロック機構が自動的に上部蓋体６１を閉状態でロックする。
【００３６】
なお、この上部収納体２２にも、例えば、音楽記憶媒体やサングラス等の物品を収納することができる。
【００３７】
本実施形態の車両用テーブル装置１１は、上部収納体２２を格納状態としたとき、図１に示すように、上部収納体２２を含むその全体が運転席シート１２側に寄っていて、運転席シート１２と助手席シート１３との間の空間１４をウォークスルーのための通路として確保する状態となる。また、このとき、車両用テーブル装置１１は、図２および図３に示すように同側である助手席シート１３側に上部収納体２２の上部蓋体６１および支持体２０の下部収納部２６の下部蓋体３１を上下に並列して配置している。
【００３８】
このように、上部収納体２２を格納状態とした状態で、例えば、上部蓋体６１の図２に示すロック解除操作レバー６５をスライドさせると、上部蓋体ロック機構が上部蓋体６１の収納体本体５８に対するロックを解除し、図４に示すように、上部蓋体６１が鋭角の所定角度のみ助手席シート１３側に揺動して収納体本体５８の開口部５７を開口させる。これにより、上部収納体２２の収納空間５６に対する物品の出し入れが可能となる。そして、物品の出し入れが完了すると上部蓋体６１を運転席シート１２側に揺動させて収納体本体５８の開口部５７を閉塞させると、上部蓋体ロック機構が上部蓋体６１を収納体本体５８に対し自動的にロックする。また、上部収納体２２が格納状態にあるとき、下部蓋体３１の図２に示すロック解除操作ボタン３６を押圧すると、下部蓋体ロック機構が下部蓋体３１の収納部本体２９に対するロックを解除し、図４に示すように、下部蓋体３１が鋭角の所定角度のみ助手席シート１３側に揺動して収納部本体２９の開口部２８を開口させる。これにより、下部収納部２６の収納空間２７に対する物品の出し入れが可能となる。そして、物品の出し入れが完了すると下部蓋体３１を運転席シート１２側に揺動させて収納部本体２９の開口部２８を閉塞させると、下部蓋体ロック機構が下部蓋体３１を収納部本体２９に対し自動的にロックする。なお、上部収納体２２が格納状態にあるとき、テーブル面４８は、運転席シート１２側に向いている。また、上部収納体２２が格納状態にあるとき、上部収納体２２と下部収納部２６とがともに車両前後方向に沿いかつ鉛直方向に沿って互いに鉛直方向に並んでいるため、上部蓋体６１および下部蓋体３１の開閉と収納空間２７，５６への物品の出し入れが運転席シート１２側の乗員からも容易に可能となる。
【００３９】
上部収納体２２が格納状態にある状態から図２に示す揺動ロック解除操作ボタン５４を押圧すると、揺動ロック機構による上部収納体２２の支持体２０に対するロックが解除されることになり、この状態で上部収納体２２をその上部が助手席シート１３側に位置するように手動により倒す。すると、上部収納体２２は、図３の状態から図６の状態に示すように、下部にあった摺動ピン４５を案内溝３８の移動案内溝部３９で案内しながら上側に移動させつつ支持軸４６を介して上部に連結状態にある揺動アーム４３を支持軸４２を中心に助手席シート１３側に倒すことで、決められた揺動軌跡を描きながら下部を上側に移動させつつ倒れるように揺動する。そして、上部収納体２２の摺動ピン４５が移動案内溝部３９の上端部に位置しそれ以上の上昇が規制された状態から、さらに、上部収納体２２の摺動ピン４５を係止溝部４０で助手席シート１３側に移動させると、上部収納体２２が水平方向に沿う展開状態となりこの展開状態で揺動ロック機構が上部収納体２２を支持体２０にロックする。この展開状態で、図５に示すように、テーブル面４８は上側に向いており、ドリンクホルダ部４９へのドリンク類の載置およびテーブル部５０への物品の載置が可能となる。また、テーブル面４８の周縁部の全周から上側に突出する突出縁部５１によってテーブル部５０に載置された物品の落下を防止するようになっている。なお、テーブル部５０に滑り止めのゴムシート等を貼付しても良い。
【００４０】
このように、上部収納体２２を展開状態とした状態で、例えば、上部蓋体６１のロック解除操作レバー６５をスライドさせると、上部蓋体ロック機構が上部蓋体６１の収納体本体５８に対するロックを解除し、図７に示すように、上部蓋体６１が鋭角の所定角度のみ下側に揺動して収納体本体５８の開口部５７を開口させる。このとき、上部収納体２２は、下部収納部２６から上側に離間した状態にあり、上部蓋体６１の揺動に対し下部収納部２６が干渉することがない。また、このとき、上部蓋体６１は、揺動角度が鋭角であり、揺動中心に対し反対側が上側に屈曲する係止縁部６３とされているため、上部蓋体６１の傾斜によって収納空間５６内の物品を落下させてしまうことがない。そして、この状態で、上部収納体２２の収納空間５６に対する物品の出し入れが可能となる。そして、物品の出し入れが完了し上部蓋体６１を上側に揺動させて収納体本体５８の開口部５７を閉塞させると、上部蓋体ロック機構が上部蓋体６１を収納体本体５８に対し自動的にロックする。上部収納体２２が、運転席シート１２に沿って上昇して展開状態になるため、上部収納体２２が運転席シート１２から離れることがなく、よって、上部収納体２２が展開状態になっても、運転席シート１２の乗員が上部収納体２２を上側から越えて下部収納部２６にアクセスすることができる。なお、上部収納体２２が展開状態になるとき、下部収納部２６から離間するように上側に移動することから、運転席シート１２の乗員が下部収納部２６と上部収納体２２との隙間を介して下部収納部２６にアクセスするように構成しても良い。
【００４１】
上部収納体２２が展開状態にある状態から図５に示す揺動ロック解除操作ボタン５４を押圧すると、揺動ロック機構による上部収納体２２の支持体２０に対するロックが解除されることになり、この状態で上部収納体２２を若干運転席シート１２側に移動させた後、その運転席シート１２側の側部が下方に位置するように手動により起こす。すると、上部収納体２２は、案内溝３８の係止溝部４０にあった摺動ピン４５を案内溝３８の移動案内溝部３９に位置させ移動案内溝部３９で案内しながら下側に移動させつつ支持軸４６において連結状態にある揺動アーム４３を支持軸４２を中心に運転席シート１２側に起こすことで、決められた揺動軌跡を描きながら運転席シート１２側の側部を下側に移動させつつ起立するように揺動する。そして、摺動ピン４５が移動案内溝部３９の下端部に位置しそれ以上の下降が規制された状態になると、上部収納体２２が鉛直方向に沿う格納状態となりこの格納状態で揺動ロック機構が上部収納体２２を支持体２０にロックする。
【００４２】
以上に述べた本実施形態の車両用テーブル装置１１によれば、上部収納体２２を横方向に沿う展開状態にすると、その上面がテーブル面４８となってテーブルとして機能することになる。そして、このようにテーブルとして機能する上部収納体２２の内側には収納空間５６が設けられこの収納空間５６を開閉可能な上部蓋体６１が設けられているため、収納部としても機能することになる。したがって、有効な利用が可能となる。
【００４３】
また、テーブル面４８に対し反対側に設けられた上部蓋体６１は、上部収納体２２が縦方向に沿う格納状態にあるとき助手席シート１３側の側面にあり良好に開閉可能であるため、上部収納体２２の収納空間５６に対する物品の良好な出し入れが可能となる。また、上部蓋体６１は上部収納体２２が横方向に沿う展開状態にあるとき下面にあるが、開閉角度が鋭角であり、しかも開閉中心に対し反対側の係止縁部６３が上側に屈曲していることから、開いたときに収納空間５６内の物品を落下させることなく収納空間５６に対する物品の良好な出し入れが可能となる。したがって、上部収納体２２が縦方向に沿う格納状態にあっても横方向に沿う展開状態にあっても収納空間５６に対し物品の出し入れが可能であることから使い勝手性が向上する。
【００４４】
さらに、上部収納体２２が縦方向に沿う格納状態から横方向に沿う展開状態となるとき、その下部に設けられた摺動ピン４５が支持体２０の案内溝３８で案内されながら上昇しつつその上部が揺動アーム４３をその基端側を中心に揺動させながら側方に移動する。このように、簡単な構造で上部収納体２２を縦方向に沿う格納状態と横方向に沿う展開状態との間で揺動させることができる。また、上部収納体２２が横方向に沿う展開状態となったとき、上側に移動するため、下面の上部蓋体６１と支持体２０の下部収納部２６との間に隙間を形成でき、その結果、上部蓋体６１を良好に開けることができる。さらに、上部収納体２２が格納状態と展開状態との間で移動するときに、上部収納体２２が支持体２０よりも一側に突出することがないように揺動軌跡を設定でき、運転席シート１２に近接配置しても運転席シート１２に干渉させずに揺動させることができる。
【００４５】
加えて、支持体２０の上部収納体２２の下側に、内側に収納空間２７が設けられるとともに開閉可能な下部蓋体３１が設けられた下部収納部２６が設けられているため、支持体２０をも収納部として機能させることができる。したがって、さらに有効な利用が可能となる。
【００４６】
さらに、格納状態にある上部収納体２２の上部蓋体６１と、下部収納部２６の下部蓋体３１とが同側である助手席シート１３側に並列して上下に配置されているため、上部収納体２２が格納状態にあるときの上部収納体２２および支持体２０の下部収納部２６の両方の使い勝手性が向上する。
【図面の簡単な説明】
【００４７】
【図１】本発明の一実施形態の車両用テーブル装置の車室内における配置を示す車両前方から見た正面図である。
【図２】本発明の一実施形態の車両用テーブル装置の格納状態であって上部蓋体および下部蓋体が共に閉じられた状態を示す斜視図である。
【図３】本発明の一実施形態の車両用テーブル装置の格納状態であって上部蓋体および下部蓋体が共に閉じられた状態を示す正面図である。
【図４】本発明の一実施形態の車両用テーブル装置の格納状態であって上部蓋体および下部蓋体が共に開かれた状態を示す正面図である。
【図５】本発明の一実施形態の車両用テーブル装置の展開状態であって上部蓋体および下部蓋体が共に閉じられた状態を示す斜視図である。
【図６】本発明の一実施形態の車両用テーブル装置の展開状態であって上部蓋体および下部蓋体が共に閉じられた状態を示す正面図である。
【図７】本発明の一実施形態の車両用テーブル装置の展開状態であって上部蓋体および下部蓋体が共に開かれた状態を示す正面図である。
【符号の説明】
【００４８】
１１  車両用テーブル装置
２０  支持体
２１  揺動機構
２２  上部収納体（揺動体）
２６  下部収納部
２７，５６  収納空間
３１  下部蓋体（蓋体）
３８  案内溝
４３  揺動アーム
４５  摺動ピン（摺動部）
４８  テーブル面
６１  上部蓋体（蓋体）
６３  係止縁部（縁部）
【図１】
2005096523.tif 000003
【図２】
2005096523.tif 000004
【図３】
2005096523.tif 000005
【図４】
2005096523.tif 000006
【図５】
2005096523.tif 000007
【図６】
2005096523.tif 000008
【図７】
2005096523.tif 000009